(57)【特許請求の範囲】
【請求項１】
ネットワークに接続して配信するファイルを表示するプレゼンテーション装置において、
キャッシュするファイルを指定するファイル登録操作部と、
複数の無線端末を前記ネットワークに接続するアクセスポイント機能部と、
前記ファイル登録操作部で指定されたファイルを取得してキャッシュする機能をもち、前記ファイルを記憶するファイルサーバへのアクセス要求に対して代理応答するプロキシー機能部と、
を有し、
前記プロキシー機能部は、
前記アクセスポイント機能部を介して前記無線端末から要求されたファイルが前記ファイル登録操作部で指定されたファイルである場合には、前記プロキシー機能部でキャッシュされたファイルを前記無線端末に配信し、前記アクセスポイント機能部を介して前記無線端末から要求されたファイルが前記ファイル登録操作部で指定されたファイルでない場合には、前記無線端末からの要求を前記ファイルサーバに送信する
ことを特徴とするプレゼンテーション装置。
【請求項２】
請求項１に記載のプレゼンテーション装置において、
使用者が前記ファイル登録操作部を介して指定し前記プロキシー機能部でキャッシュされたファイルは、使用者による消去操作がない限り消去されないことを特徴とするプレゼンテーション装置。
【請求項３】
請求項１に記載のプレゼンテーション装置において、
前記プロキシー機能部でキャッシュされるファイルは、前記アクセスポイント機能部を介して無線端末が接続している間はキャッシュされる
ことを特徴とするプレゼンテーション装置。
【請求項４】
プレゼンテーション装置であって、
第一の通信手段と、第二の通信手段と、電子ファイル登録手段と、ストレージ手段と、ネットワークアドレス記憶手段と、ネットワークアドレス確認手段と、接続制御手段と、を備え、
前記第一の通信手段は第一のネットワークに接続され、
前記第二の通信手段は第二のネットワークに接続され、
前記電子ファイル登録手段はキャッシュする電子ファイルを指定し、
前記ストレージ手段は前記電子ファイル登録手段で指定した電子ファイルを取得して記憶し、
前記ネットワークアドレス記憶手段は前記電子ファイル登録手段で指定した電子ファイルを記憶するサーバ装置のネットワークアドレスを記憶し、
前記第二の通信手段は前記第二のネットワークに接続された端末装置が前記第一のネットワークに接続されたサーバ装置に対して送信したデータ要求信号を受信し、
前記ネットワークアドレス確認手段は前記第二の通信手段が受信した前記データ要求信号に前記ネットワークアドレス記憶手段に記憶された前記ネットワークアドレスが含まれているか否かを確認し、
前記接続制御手段は、前記ネットワークアドレス確認手段における確認結果に応じて、前記第二の通信手段が受信した前記データ要求信号に前記ネットワークアドレス記憶手段に記憶された前記ネットワークアドレスが含まれている場合には前記ストレージ手段に記憶された前記電子ファイルを前記第二の通信手段から送出するように制御し、前記第二の通信手段が受信した前記データ要求信号に前記ネットワークアドレス記憶手段に記憶された前記ネットワークアドレスが含まれていない場合には前記第二の通信手段が受信した前記データ要求信号を前記第一の通信手段から送出するように制御する
ことを特徴とするプレゼンテーション装置。
【請求項５】
前記接続制御手段は、前記ネットワークアドレス確認手段における確認結果に応じて、前記第二の通信手段が受信した前記データ要求信号に前記ネットワークアドレス記憶手段に記憶された前記ネットワークアドレスが含まれている場合には、更に、前記第二の通信手段が受信した前記データ要求信号を前記第一の通信手段から送出しないように制御する
ことを特徴とする請求項４記載のプレゼンテーション装置。
【請求項６】
前記電子ファイル登録手段は、
前記キャッシュする電子ファイルのネットワークアドレスを入力することにより、前記キャッシュする電子ファイルを指定し、
前記ストレージ手段は、
前記入力されたネットワークアドレスに基づいて前記キャッシュする電子ファイルを記憶するサーバ装置からダウンロードすることにより、前記キャッシュする電子ファイルを取得して記憶する
ことを特徴とする請求項４または請求項５記載のプレゼンテーション装置。
【請求項７】
前記プレゼンテーション装置は、更に、メモリインタフェースを備え、
前記電子ファイル登録手段は、
前記メモリインタフェースに接続された外部記憶媒体に記憶された電子ファイルを選択することにより、前記キャッシュする電子ファイルを指定し、
前記ストレージ手段は、
前記メモリインタフェースに接続された外部記憶媒体から前記選択された電子ファイルを読み出すことにより、前記キャッシュする電子ファイルを取得して記憶する
ことを特徴とする請求項４または請求項５記載のプレゼンテーション装置。
【請求項８】
前記プレゼンテーション装置は、更に、表示手段を備え、
前記表示手段は前記ストレージ手段に記憶されている前記電子ファイルを表示可能とする
ことを特徴とする請求項４乃至請求項７の何れか一項に記載のプレゼンテーション装置。
【請求項９】
前記プレゼンテーション装置において、
前記ストレージ手段に記憶されている前記電子ファイル及び前記ネットワークアドレス記憶手段に記憶されている前記ネットワークアドレスは、前記プレゼンテーション装置の使用者の消去操作がない限り消去されない
ことを特徴とする請求項４乃至請求項８の何れか一項に記載のプレゼンテーション装置。
【請求項１０】
前記プレゼンテーション装置において、
前記ストレージ手段に記憶されている前記電子ファイル及び前記ネットワークアドレス記憶手段に記憶されている前記ネットワークアドレスは、前記第二の通信手段が前記第二のネットワークと接続されている間は、前記プレゼンテーション装置の使用者の消去操作がない限り消去されない
ことを特徴とする請求項４乃至請求項８の何れか一項に記載のプレゼンテーション装置。
【請求項１１】
前記プレゼンテーション装置において、
前記ストレージ手段に記憶されている前記電子ファイル及び前記ネットワークアドレス記憶手段に記憶されている前記ネットワークアドレスは、前記プレゼンテーション装置の電源がオンの状態では、前記プレゼンテーション装置の使用者の消去操作がない限り消去されない
ことを特徴とする請求項４乃至請求項８の何れか一項に記載のプレゼンテーション装置。
【請求項１２】
前記プレゼンテーション装置において、
前記ストレージ手段に記憶されている前記電子ファイル及び前記ネットワークアドレス記憶手段に記憶されている前記ネットワークアドレスは、前記表示装置が前記ストレージ手段に記憶されている前記電子ファイルを表示している間は、前記プレゼンテーション装置の使用者の消去操作がない限り消去されない
ことを特徴とする請求項８に記載のプレゼンテーション装置。
【請求項１３】
プレゼンテーション装置におけるプレゼンテーション処理方法であって、
キャッシュするファイルを指定するファイル登録操作ステップと、
前記ファイル登録操作ステップで指定されたファイルを取得してキャッシュするファイルキャッシュステップと、
ネットワークを介して複数の無線端末との接続を確立するアクセスポイント機能ステップと、
前記アクセスポイント機能ステップで接続が確立された無線端末のいずれかから要求されたファイルが前記ファイル登録操作ステップで指定されたファイルである場合には、前記ファイルキャッシュステップでキャッシュされたファイルを該無線端末に配信し、前記アクセスポイント機能ステップで接続が確立された無線端末のいずれかから要求されたファイルが前記ファイル登録操作ステップで指定されたファイルでない場合には、該無線端末からの要求を前記ファイル登録操作ステップで指定されたファイルを記憶するファイルサーバに送信するプロキシー機能ステップと、
を含むことを特徴とするプレゼンテーション処理方法。
【請求項１４】
前記ファイルキャッシュステップでは、前記ファイル登録操作ステップで指定されたファイルを、前記プレゼンテーション装置の使用者の消去操作がない限り消去されないようにキャッシュすることを特徴とする請求項１３に記載のプレゼンテーション処理方法。
【請求項１５】
プレゼンテーション装置におけるプレゼンテーション処理方法であって、
キャッシュする電子ファイルを指定する電子ファイル登録ステップと、
前記電子ファイル登録ステップで指定した電子ファイルを取得して記憶するストレージステップと、
前記電子ファイル登録ステップで指定した電子ファイルを記憶するサーバ装置のネットワークアドレスを記憶するネットワークアドレス記憶ステップと、
第二のネットワークに接続された端末装置が第一のネットワークに接続されたサーバ装置に対して送信したデータ要求信号を受信するデータ要求信号受信ステップと、
前記データ要求信号受信ステップで受信したデータ要求信号に前記ネットワークアドレス記憶ステップで記憶したネットワークアドレスが含まれているか否かを確認するネットワークアドレス確認ステップと、
前記ネットワークアドレス確認ステップにおける確認結果に応じて、前記データ要求信号受信ステップで受信したデータ要求信号に前記ネットワークアドレス記憶ステップで記憶したネットワークアドレスが含まれている場合には前記ストレージステップで記憶した電子ファイルを前記第二のネットワークに接続された端末装置に対して送出するように制御し、前記データ要求信号受信ステップで受信したデータ要求信号に前記ネットワークアドレス記憶ステップで記憶したネットワークアドレスが含まれていない場合には前記データ要求信号受信ステップで受信したデータ要求信号を前記第一のネットワークに接続されたサーバ装置に対して送出するように制御する接続制御ステップと、
を含むことを特徴とするプレゼンテーション処理方法。
【請求項１６】
前記ストレージステップでは、前記電子ファイル登録操作ステップで指定された電子ファイルを、前記プレゼンテーション装置での使用者の消去操作がない限り消去されないように記憶することを特徴とする請求項１５に記載のプレゼンテーション処理方法。
【請求項１７】
コンピュータにおけるプレゼンテーション処理を実行するプログラムであって、
キャッシュするファイルを指定するファイル登録操作ステップと、
前記ファイル登録操作ステップで指定されたファイルを取得してキャッシュするファイルキャッシュステップと、
ネットワークを介して複数の無線端末との接続を確立するアクセスポイント機能ステップと、
前記アクセスポイント機能ステップで接続が確立された無線端末のいずれかから要求されたファイルが前記ファイル登録操作ステップで指定されたファイルである場合には、前記ファイルキャッシュステップでキャッシュされたファイルを該無線端末に配信し、前記アクセスポイント機能ステップで接続が確立された無線端末のいずれかから要求されたファイルが前記ファイル登録操作ステップで指定されたファイルでない場合には、該無線端末からの要求を前記ファイル登録操作ステップで指定されたファイルを記憶するファイルサーバに送信するプロキシー機能ステップと、
をコンピュータに実行させることを特徴とするプログラム。
【請求項１８】
前記ファイルキャッシュステップでは、前記ファイル登録操作ステップで指定されたファイルを、前記プレゼンテーション装置の使用者の消去操作がない限り消去されないようにキャッシュすることを特徴とする請求項１７に記載のプログラム。
【請求項１９】
コンピュータにおけるプレゼンテーション処理を実行するプログラムであって、
キャッシュする電子ファイルを指定する電子ファイル登録ステップと、
前記電子ファイル登録ステップで指定した電子ファイルを取得して記憶するストレージステップと、
前記電子ファイル登録ステップで指定した電子ファイルを記憶するサーバ装置のネットワークアドレスを記憶するネットワークアドレス記憶ステップと、
第二のネットワークに接続された端末装置が第一のネットワークに接続されたサーバ装置に対して送信したデータ要求信号を受信するデータ要求信号受信ステップと、
前記データ要求信号受信ステップで受信したデータ要求信号に前記ネットワークアドレス記憶ステップで記憶したネットワークアドレスが含まれているか否かを確認するネットワークアドレス確認ステップと、
前記ネットワークアドレス確認ステップにおける確認結果に応じて、前記データ要求信号受信ステップで受信したデータ要求信号に前記ネットワークアドレス記憶ステップで記憶したネットワークアドレスが含まれている場合には前記ストレージステップで記憶した電子ファイルを前記第二のネットワークに接続された端末装置に対して送出するように制御し、前記データ要求信号受信ステップで受信したデータ要求信号に前記ネットワークアドレス記憶ステップで記憶したネットワークアドレスが含まれていない場合には前記データ要求信号受信ステップで受信したデータ要求信号を前記第一のネットワークに接続されたサーバ装置に対して送出するように制御する接続制御ステップと、
をコンピュータに実行させることを特徴とするプログラム。
【請求項２０】
前記ストレージステップでは、前記電子ファイル登録ステップで指定された電子ファイルを、前記プレゼンテーション装置の使用者の消去操作がない限り消去されないように記憶することを特徴とする請求項１９に記載のプログラム。
【発明の詳細な説明】
【技術分野】
【０００１】
本発明は、プレゼンテーションに用いるのに好適なネットワーク対応のプレゼンテーション装置、プレゼンテーション方法、プレゼンテーションプログラムに関する。
【背景技術】
【０００２】
会議、発表会、授業等のプレゼンテーションを行う場合、ＰＣ（Ｐｅｒｓｏｎａｌ  Ｃｏｍｐｕｔｅｒ）等の情報端末を液晶プロジェクタ等の画像表示装置と接続し、前記情報端末のストレージ部に記憶されている発表資料を前記画像表示装置で表示して聴衆に提示することが一般的である。また、最近では、ノート型ＰＣやタブレット端末、スマートホン等の携帯型情報端末の普及が進んでおり、聴衆が自らの所有する携帯型情報端末を使用して、発表とは非同期に、発表資料の閲覧を手元で行えるようにすることが求められている。
【０００３】
また、同時期に複数の地点で、プレゼンテーションがおこなう場合もあり、発表資料を複数の情報端末からアクセスできるように、ネットワーク上に配置することも検討され、さらに、プレゼンテーション会場以外の場所からもプレゼンテーション内容を視聴できるようにすることも求められている。
【０００４】
上記の要求を実現する技術の一例が、例えば、特許文献１に開示されている。特許文献１に開示される技術は、プロジェクタ装置が、表示装置に映写した画像データを、ネットワークを介してコンテンツサーバに転送し、コンテンツサーバは、転送された画像データを蓄積すると共に、ユーザ端末からのネットワークを介した取得要求により、蓄積した画像データを端末に転送することにより、会議等でプロジェクタ装置により表示された画像を、会議後にあらためて自身の端末で視聴することが可能となり、打ち合わせ内容の確認を確実に行なうようにするものである。
【０００５】
このように、インターネット等の公共回線に接続されたコンテンツサーバに予め発表資料を転送して記憶させておき、プレゼンテーションの際に前記コンテンツサーバから発表資料をダウンロードして画像表示装置に表示させるようにすれば、複数の会場で、同時に、同一の発表資料を使用した大規模なプレゼンテーションを開催することも可能となる。
【先行技術文献】
【特許文献】
【０００６】
【特許文献１】特開２００３−１７３１７７号公報
【発明の概要】
【発明が解決しようとする課題】
【０００７】
上記のように、ネットワーク上のコンテンツサーバにプレゼンテーションの発表資料を配置することで、複数地点・多人数の視聴者に発表資料の提供が可能になる。しかし、予めコンテンツサーバに発表資料を転送して記憶させておき、プレゼンテーションに参加している聴衆の所有する携帯型情報端末から前記発表資料を参照できるようにした場合、プレゼンテーション実施中は前記コンテンツサーバの発表資料へのアクセスが集中することが考えられる。特に、前述したような、複数の会場で、同時に、同一の発表資料を使用してプレゼンテーションを行う場合、アクセスの集中によりコンテンツサーバの負荷が増大し、コンテンツサーバの処理能力の限界を超えてサーバダウンに至る可能性がある。
【０００８】
前記サーバダウンの可能性を回避するため、同一の発表資料を記憶するコンテンツサーバを複数用意することにより、アクセス集中の際のコンテンツサーバの負荷を分散させるようにしても良いが、この場合、コンテンツサーバ維持のためのコストの増加を招く、コンテンツサーバ及び発表資料の管理が複雑になる、等の課題を生じる。
【０００９】
本発明の目的は、前記課題を解決する、会議、発表会、授業等のプレゼンテーションに用いるのに好適なプレゼンテーション装置、プレゼンテーション方法、プレゼンテーションプログラム、を提供することにある。
【課題を解決するための手段】
【００１０】
前記課題を解決するために、本発明のネットワークに接続して配信されるファイルを表示するプレゼンテーション装置は、複数の無線端末を前記ネットワークに接続するアクセスポイント機能部と、ファイルのキャッシュ機能をもち、前記ファイルを記憶するファイルサーバへのアクセス要求に対して代理応答するプロキシー機能部と、を有し、前記プロキシー機能部は、ネットワークから配信されプレゼンテーション表示するファイルを記憶し、前記アクセスポイント機能部を介して要求された前記無線端末から前記ファイルを記憶するファイルサーバへの転送要求に対して代理応答するようにした。
【００１１】
また、本発明のプレゼンテーション装置は、前記プロキシー機能部でキャッシュされるファイルは、前記アクセスポイント機能部を介して無線端末が接続している間はキャッシュされるようにした。
【発明の効果】
【００１２】
本発明の技術により、ネットワーク上にプレゼンテーションの発表資料を配置して複数地点で複数の携帯型情報端末からアクセス可能にしても、コンテンツサーバの負荷集中を低減できるので、安定した発表資料を配布が可能となり、プレゼンテーション効果を向上を期待できる。
【図面の簡単な説明】
【００１３】
【図１】実施例に係るプレゼンテーション装置のブロック図である。
【図２】実施例に係るプレゼンテーションシステムの構成図である。
【図３】実施例に係る発表資料のコンテンツサーバへのアップロード処理を説明する概念図である。
【図４】実施例に係る発表資料のプレゼンテーション装置への登録処理を説明する概念図である。
【図５】実施例に係るＵＲＬ記憶領域のデータ記憶構成の説明図である。
【図６】実施例に係るプレゼンテーションシステムにおける各機器のＩＰアドレスの状況を説明する概念図である。
【図７】実施例に係るプレゼンテーション装置が表示する画面図である。
【図８】実施例に係るプレゼンテーション装置が表示する画面図である。
【図９】実施例に係る接続制御部が実施するＩＰパケット中継処理を説明するフローチャートである。
【図１０】実施例に係るネットワーク上の通信に用いられるＩＰパケットの構造を説明する図である。
【図１１】実施例に係る端末装置がプレゼンテーション装置に登録されていない資料へアクセスする際の処理を説明する概念図である。
【図１２】実施例に係る端末装置がプレゼンテーション装置に登録されている資料へアクセスする際の処理を説明する概念図である。
【図１３】実施例に係る自宅または会社の端末装置からコンテンツサーバの発表資料へアクセスする際の処理を説明する概念図である。
【発明を実施するための形態】
【００１４】
以下、本発明の実施形態の例を、図面を用いて説明する。
図１は、本実施例のプレゼンテーション装置のブロック図である。プレゼンテーション装置１００は、制御部１０１、システムバス１０２、ＲＯＭ１０３、ＲＡＭ１０４、表示（投影）部１１１、表示処理部１１２、スピーカ１１３、音声処理部１１４、第一の通信処理部１２１、第二の通信処理部１２２、接続制御部１２３、ストレージ部１３０、外部インタフェース１４１、赤外線受信部１４２、操作部１５０、で構成される。
【００１５】
プレゼンテーション装置１００は、小型液晶パネル等に表示した画像を光学レンズ等でスクリーンに拡大投影するプロジェクタ装置であっても良いし、プラズマディスプレイや有機ＥＬ（Ｅｌｅｃｔｒｏ−Ｌｕｍｉｎｅｓｃｅｎｃｅ）ディスプレイ等の直視型モニタ装置であっても良い。また、デジタル放送の受信機能を有したテレビや、タッチ操作により文字／図形の入力が可能な電子黒板等であっても良い。
【００１６】
制御部１０１は、所定のプログラムに従ってプレゼンテーション装置１００全体を制御するマイクロプロセッサユニットである。システムバス１０２は、制御部１０１とプレゼンテーション装置１００内の各部との間でデータ送受信を行うためのデータ通信路である。ＲＯＭ（Ｒｅａｄ  Ｏｎｌｙ  Ｍｅｍｏｒｙ）１０３は、オペレーティングシステムや所定のアプリケーションプログラムなど、プレゼンテーション装置１００の基本動作プログラムが格納されたメモリであり、例えばＥＥＰＲＯＭ（Ｅｌｅｃｔｒｉｃａｌｌｙ  Ｅｒａｓａｂｌｅ  Ｐｒｏｇｒａｍｍａｂｌｅ  ＲＯＭ）やフラッシュＲＯＭのような書き換え可能なＲＯＭが用いられる。
【００１７】
ＲＯＭ１０３に格納されたプログラムを更新することにより、基本動作プログラムのバージョンアップや機能拡張が可能であるものとする。なお、ＲＯＭ１０３は図１に示したような独立構成とはせず、ストレージ部１３０内の一部記憶領域を使用しても良い。ＲＡＭ（Ｒａｎｄｏｍ  Ａｃｃｅｓｓ  Ｍｅｍｏｒｙ）１０４は基本動作プログラム若しくは各アプリケーション実行時のワークエリアとなる。また、ＲＯＭ１０３及びＲＡＭ１０４は制御部１０１と一体構成であっても良い。
【００１８】
表示（投影）部１１１は例えば液晶パネルのような表示デバイスであり、表示処理部１１２において処理した画像情報をプレゼンテーション装置１００の使用者に提供する。なお、本実施例においては、プレゼンテーション装置１００は液晶プロジェクタであるものとし、液晶パネルである表示（投影）部１１１に表示された画像情報は、図示を省略した光源及び光学レンズにより外部スクリーンに投影されるものとする。スピーカ１１３は音声処理部１１４において処理した音声信号をプレゼンテーション装置１００の使用者に提供する。
【００１９】
第一の通信処理部１２１及び第二の通信処理部１２２は、インターネット等のネットワークと有線通信若しくは無線通信により接続し、情報の送受信を行う。なお、本実施例では、第一の通信処理部１２１はインターネット等の広域ネットワーク（Ｗｉｄｅ  Ａｒｅａ  Ｎｅｔｗｏｒｋ：ＷＡＮ）と有線で接続するインタフェースであるものとし、第二の通信処理部１２２は宅内或いは社内における狭域ネットワーク（Ｌｏｃａｌ  Ａｒｅａ  Ｎｅｔｗｏｒｋ：ＬＡＮ）と無線で接続するインタフェースであるものとする。
【００２０】
接続制御部１２３はルーティング機能やＤＨＣＰ（Ｄｙｎａｍｉｃ  Ｈｏｓｔ  Ｃｏｎｆｉｇｕｒａｔｉｏｎ  Ｐｒｏｔｏｃｏｌ）サーバ機能等を有し、第一の通信処理部１２１に接続されるネットワークと第二の通信処理部１２２に接続されるネットワークとの中継処理、第二の通信処理部１２２に接続されるネットワーク上の端末装置群へのＩＰ（Ｉｎｔｅｒｎｅｔ  Ｐｒｏｔｏｃｏｌ）アドレスの割り当て処理、等の制御を行うものとする。なお、接続制御部１２３に関する詳細動作は後述する。
【００２１】
ストレージ部１３０はプレゼンテーション装置１００の各動作設定値や、プレゼンテーション装置１００の調整用画像、及び後述のコンテンツサーバからダウンロードした各種データ等を記憶する。また、プレゼンテーション装置１００の使用者が、好みに応じて静止画像や動画映像を記憶させることも可能であるものとする。なお、ストレージ部１３０の一部領域を以ってＲＯＭ１０３の機能の全部または一部を代替しても良い。ストレージ部１３０はプレゼンテーション装置１００が電源オフの状態であっても記憶している情報を保持する必要がある。したがって、例えばフラッシュＲＯＭやＳＳＤ（Ｓｏｌｉｄ  Ｓｔａｔｅ  Ｄｒｉｖｅ）、ＨＤＤ（Ｈａｒｄ  Ｄｉｓｃ  Ｄｒｉｖｅ）等が用いられる。
【００２２】
外部インタフェース１４１は、プレゼンテーション装置１００の機能を拡張するためのインタフェースであり、外部情報端末からの画像情報信号の入力や、ＵＳＢ（Ｕｎｉｖｅｒｓａｌ  Ｓｅｒｉａｌ  Ｂｕｓ）機器若しくはメモリカードの接続等を行う。赤外線受信部１４２は、赤外線リモコン信号を受信する受光部である。
【００２３】
操作部１５０は、プレゼンテーション装置１００の使用者の操作に基づいて指示の入力を行う指示入力部であり、入力信号の選択や画像の調整、ネットワークとの接続に関する設定等の操作に用いる。ボタンスイッチを並べたマルチキーにより実現しても良いし、タッチパネルにより実現しても良い。また、外部インタフェース１４１にマウスやキーボード等を接続して操作することにより、操作部１５０の代替としても良い。第一の通信処理部１２１若しくは第二の通信処理部１２２に接続されたＰＣからの遠隔操作を操作部１５０の代替としても良い。図示を省略したリモコンからの赤外線リモコン信号を赤外線受信部１４２で受信し、前記リモコンを操作することにより、操作部１５０の代替としても良い。
【００２４】
なお、図１に示したプレゼンテーション装置１００は、スピーカ１１３や音声処理部１１４等、本発明に必須ではない構成も含む構成例としている。また、デジタルテレビ放送受信機能等、図示していない構成が加えられていても良い。
【００２５】
図２は、本実施例のプレゼンテーション装置１００を含むプレゼンテーションシステムの構成例である。本実施例のプレゼンテーションシステムは、プレゼンテーション会場２００ａ、２００ｂ、２００ｃ、及びコンテンツサーバ３００がＷＡＮ５００に接続されて相互に通信可能なように構成される。また、その他のサーバ４００やその他の端末装置等がＷＡＮ５００に更に接続されていても良い。各プレゼンテーション会場２００は、それぞれ、本実施例のプレゼンテーション装置１００、スクリーン２１０、ルータ装置２２０、端末装置２３０−１、２３０−２、２３０−３、２３０−４、ＬＡＮ２４０、で構成される。また、本実施例のプレゼンテーションシステムを構成するプレゼンテーション会場２００の数、及び端末装置２３０の数は任意である。プレゼンテーション会場Ａ（２００ａ）において、液晶プロジェクタであるプレゼンテーション装置１００ａはスクリーン２１０ａに画像情報を投影可能なように設置される。なお、プレゼンテーション装置１００ａが直視型モニタ装置若しくは大画面テレビ等である場合、スクリーン２１０ａは不要である。
【００２６】
プレゼンテーション装置１００ａの第一の通信処理部１２１ａはルータ装置２２０ａを介してＷＡＮ５００と有線接続される。プレゼンテーション装置１００ａの第二の通信処理部１２２ａは無線アクセスポイントとして動作し、プレゼンテーション会場Ａ（２００ａ）内の端末装置群に対してＬＡＮ２４０ａを提供する。また、端末装置２３０ａ−１、２３０ａ−２、２３０ａ−３、２３０ａ−４等はプレゼンテーションに参加した聴衆が所有する、
例えばノート型ＰＣやタブレット端末等であり、ＬＡＮ２４０ａと無線接続される。プレゼンテーション装置１００ａの接続制御部１２３ａが有するＤＨＣＰサーバ機能は、ＬＡＮ２４０ａと接続される端末装置２３０ａ−１、２３０ａ−２、２３０ａ−３、２３０ａ−４等へのＩＰ（Ｉｎｔｅｒｎｅｔ  Ｐｒｏｔｏｃｏｌ）アドレスの貸与等、ＬＡＮ２４０ａのネットワーク管理も行うものとする。前記処理により、プレゼンテーション装置１００ａ、及び端末装置２３０ａ−１、２３０ａ−２、２３０ａ−３、２３０ａ−４等は相互に通信可能となる。
【００２７】
なお、プレゼンテーション会場Ｂ（２００ｂ）及びプレゼンテーション会場Ｃ（２００ｃ）も前述のプレゼンテーション会場Ａ（２００ａ）と同様の構成であるものする。以下では、基本的にプレゼンテーションＡ（２００ａ）における動作のみを説明し、プレゼンテーション会場Ｂ（２００ｂ）及びプレゼンテーション会場Ｃ（２００ｃ）における動作の説明は省略する。
【００２８】
プレゼンテーションの準備作業の際の処理に関して説明する。
発表者は、まず、発表者の自宅若しくは会社６００ｐにおいて、プレゼンテーションで使用する資料である発表資料（例：Ｈａｐｐｙｏ．ｐｓｔ）及び関連資料（例：Ｋａｎｒｅｎ．ｊｐｇ）を電子ファイルで作成する。更に、発表者は、図３に示すように、発表者が所有するＰＣ等の端末装置２３０ｐから、ＬＡＮ２４０ｐ、ルータ装置２２０ｐ、及びＷＡＮ５００を介して、コンテンツサーバ３００に前記発表資料及び関連資料をアップロードする。また、前記発表資料及び関連資料のアップロード先のＵＲＬ（Ｕｎｉｆｏｒｍ  Ｒｅｓｏｕｒｃｅ  Ｌｏｃａｔｏｒ）をメモ等に転記して控えておく。
【００２９】
なお、図３に示した例では、コンテンツサーバ３００のＩＰアドレスは『１０．０．０．１』であり、コンテンツサーバ３００にアップロードされた前記発表資料及び関連資料のＵＲＬは、それぞれ、『ｈｔｔｐ：／／１０．０．０．１／ｓｉｒｙｏｕ１／Ｈａｐｐｙｏ．ｐｓｔ』及び『ｈｔｔｐ：／／１０．０．０．１／ｓｉｒｙｏｕ２／Ｋａｎｒｅｎ．ｊｐｇ』であるものとする。なお、上記ＵＲＬにおいて、ホスト名をあらわす『１０．０．０．１』の部分は、ドメイン名表記（例：ｗｗｗ．ｈｉｔａｃｈｉ．ｃｏ．ｊｐ等）であっても良い。
【００３０】
次に、各プレゼンテーション会場２００において、発表者は、図４に示すように、各会場に設置されたプレゼンテーション装置１００を操作して、プレゼンテーションに使用し、更に、プレゼンテーション実施中に多数の聴衆がアクセスを要求すると予想される資料のプレゼンテーション装置１００への登録処理を行う。具体的には、例えばプレゼンテーション会場Ａ（２００ａ）においては、発表者が作成した前記発表資料及び関連資料の電子ファイル及びその電子ファイルのアップロード先のＵＲＬをプレゼンテーション装置１００ａのストレージ部１３０ａ及びＵＲＬ記憶領域１２４ａにそれぞれ記憶させる。
【００３１】
前記発表資料及び関連資料の電子ファイルのプレゼンテーション装置１００への登録処理は、プレゼンテーション装置１００を操作することにより、ルータ装置２２０及びＷＡＮ５００を介してコンテンツサーバ３００へアクセスして前記発表資料及び関連資料の電子ファイルを指定し、前記指定した発表資料及び関連資料の電子ファイルをダウンロードしてストレージ部１３０に記憶させれば良い。若しくは、前記発表資料及び関連資料の電子ファイルが格納されたＵＳＢメモリ等をプレゼンテーション装置１００の外部インタフェース１４１に接続し、前記発表資料及び関連資料の電子ファイルをプレゼンテーション装置１００のストレージ部１３０に転送すれば良い。
【００３２】
前記発表資料及び関連資料の電子ファイルのアップロード先のＵＲＬのプレゼンテーション装置１００への登録処理は、プレゼンテーション装置１００を操作することにより、ルータ装置２２０及びＷＡＮ５００を介してコンテンツサーバ３００へアクセスして前記発表資料及び関連資料の電子ファイルを指定した際のＵＲＬをＵＲＬ記憶領域１２４に記憶させるようにすれば良い。
【００３３】
若しくは、プレゼンテーション装置１００の操作部１５０から前記発表資料及び関連資料の電子ファイルのアップロード先のＵＲＬを直接入力してＵＲＬ記憶領域１２４に記憶させるようにすれば良い。なお、前記発表資料及び関連資料の電子ファイルのアップロード先のＵＲＬを直接入力する場合には、前記直接入力したＵＲＬがストレージ部１３０に記憶されているどの電子ファイルのＵＲＬかも同時に指定するようにする。或いは、前記直接入力したＵＲＬは、その直前に転送された電子ファイルに自動的に関連付けられるようにしても良い。
【００３４】
なお、本実施例においては、図２に示したように、複数の会場（プレゼンテーション会場Ａ（２００ａ）、プレゼンテーション会場Ｂ（２００ｂ）、プレゼンテーション会場Ｃ（２００ｃ））で、同一の資料を使用して同時にプレゼンテーションを行うものとしている。したがって、各プレゼンテーション会場において、前述のプレゼンテーション装置１００への資料の登録処理を行う。
【００３５】
メイン会場であるプレゼンテーション会場Ａ（２００ａ）においては、発表者自身が前記登録処理を行えば良い。また、サブ会場であるプレゼンテーション会場Ｂ（２００ｂ）及びプレゼンテーション会場Ｃ（２００ｃ）においては、代行者が発表者の指示に基づき前記登録処理を行えば良い。若しくは、発表者自身が、プレゼンテーション会場Ａ（２００ａ）からＷＡＮ５００を介した遠隔操作によりプレゼンテーション会場Ｂ（２００ｂ）のプレゼンテーション装置１００ｂ及びプレゼンテーション会場Ｃ（２００ｃ）のプレゼンテーション装置１００ｃを操作して前記登録処理を行うようにしても良い。
【００３６】
或いは、発表者がプレゼンテーション会場Ａ（２００ａ）において前記登録処理を終えた後、プレゼンテーション会場Ａ（２００ａ）のプレゼンテーション装置１００ａのＵＲＬ記憶領域１２４ａの記憶内容及びストレージ部１３０ａに記憶されている前記発表資料及び関連資料の電子ファイルをプレゼンテーション会場Ｂ（２００ｂ）のプレゼンテーション装置１００ｂ及びプレゼンテーション会場Ｃ（２００ｃ）のプレゼンテーション装置１００ｃにコピーするようにしても良い。
【００３７】
また、プレゼンテーション会場Ｂ（２００ｂ）及びプレゼンテーション会場Ｃ（２００ｃ）でのプレゼンテーション参加者（聴衆）が少ないことが見込まれる場合、プレゼンテーション会場Ａ（２００ａ）のプレゼンテーション装置１００ａに対してのみ前述の登録処理を行い、プレゼンテーション会場Ｂ（２００ｂ）のプレゼンテーション装置１００ｂ及びプレゼンテーション会場Ｃ（２００ｃ）のプレゼンテーション装置１００ｃに対しては前述の登録処理を行わないようにしても良い。
【００３８】
図５は、接続制御部１２３内のＵＲＬ記憶領域１２４のデータ記憶構成の一例を示す図である。本実施例のＵＲＬ記憶領域１２４は、前記登録処理によりプレゼンテーション装置１００に登録された資料のＵＲＬ等のデータを記憶する。具体的には、前記登録処理を行った各資料に関する、『資料がアップロードされているサーバのＩＰアドレス』、『資料のＵＲＬ』及び『ストレージ部１３０内における資料の記憶開始位置』を一セットとして記憶するようにする。
【００３９】
なお、本実施例においては、ＵＲＬ記憶領域１２４は一時的なキャッシュメモリではなく、したがって、ＵＲＬ記憶領域１２４に記憶されているデータは、プレゼンテーション装置１００の使用者により意図的に消去操作されない限り消去されないものとする。
【００４０】
或いは、少なくとも前記発表資料または関連資料が表示（投影）部１１１に表示されている間はプレゼンテーション装置１００の使用者により意図的に消去操作されない限り消去されないものとする。但し、プレゼンテーション装置１００の電源が切られた場合や第二の通信処理部１２２が無線アクセスポイントとしての動作を終了した場合（即ち、ＬＡＮ２４０ａとの接続が終了した場合）には、プレゼンテーションが終了したものとして、プレゼンテーション装置１００の使用者の操作によらずにＵＲＬ記憶領域１２４の内容を消去するようにしても良い。
【００４１】
また、本実施例においては、図６に示すように、コンテンツサーバ３００は『１０．０．０．１』のＩＰアドレスを有するものとし、更に、その他のサーバ４００は『１０．１０．０．１』のＩＰアドレスを、プレゼンテーション会場Ａのプレゼンテーション装置１００ａの第一の通信処理部１２１ａは『１０．１００．０．１』のＩＰアドレスを有するものとする。また、プレゼンテーション装置１００ａの第二の通信処理部１２２ａは『１９２．１６８．０．１』のＩＰアドレスを有し、更に接続制御部１２３ａはＬＡＮ２４０ａに接続する端末装置２３０ａ−１、２３０ａ−２、２３０ａ−３、２３０ａ−４に、それぞれ『１９２．１６８．０．１０』、『１９２．１６８．０．１１』、『１９２．１６８．０．１２』、『１９２．１６８．０．１３』のＩＰアドレスを貸与するものとする。
【００４２】
プレゼンテーション会場Ａ（２００ａ）に入場した聴衆は、自らの所有する携帯型情報端末（図６の端末装置２３０ａ−１、２３０ａ−２、２３０ａ−３、２３０ａ−４等）をＬＡＮ２４０ａに接続させ、前述のようにＩＰアドレスを取得することによりプレゼンテーション装置１００ａにアクセスできるようになる。また、更に、プレゼンテーション装置１００ａの有するルーティング機能及びルータ装置２２０ａを介してＷＡＮ５００上のネットワーク機器群（コンテンツサーバ３００、その他のサーバ４００等）にアクセスすることも可能となる。
【００４３】
次に、本実施例のプレゼンテーションシステムのプレゼンテーション実施時の処理に関して説明する。
図７及び図８は、プレゼンテーション装置１００ａがストレージ部１３０ａに記憶した前記発表資料をスクリーン２１０ａに投影表示した際の表示画面の一例である。特に、図７は、プレゼンテーション開始直前に、プレゼンテーションで使用する発表資料（例：Ｈａｐｐｙｏ．ｐｓｔ）のＵＲＬを聴衆に対して紹介するものであり、図８は、プレゼンテーション実施中に、プレゼンテーションで提示しているデータに関連する関連資料（例：Ｋａｎｒｅｎ．ｊｐｇ）のＵＲＬを聴衆に対して紹介するものである。
【００４４】
なお、図７の表示画面２１１−１及び図８の表示画面２１２−１は前記発表資料及び関連資料のＵＲＬを文字列で表示した場合の例である。プレゼンテーションに参加した聴衆は、所有する端末装置のブラウザアプリケーションに前記文字列を入力することにより前記発表資料及び関連資料へアクセスすることが可能となる。
【００４５】
また、図７の表示画面２１１−２及び図８の表示画面２１２−２は前記発表資料及び関連資料のＵＲＬを二次元コード等の図形で表した場合の例である。プレゼンテーションに参加した聴衆は、所有する端末装置のカメラ機能で前記図形を撮影してデコードすることにより前記発表資料及び関連資料へアクセスすることが可能となる。
【００４６】
また、前記発表資料及び関連資料のＵＲＬはプレゼンテーションの案内やパンフレット等に記載されていても良いし、プレゼンテーションへの参加を申し込んだ聴衆に対して電子メール等により配信されても良い。
【００４７】
なお、前記発表資料及び関連資料のＵＲＬが、プレゼンテーションの案内やパンフレット、電子メール等に記載されて、プレゼンテーション開始より前に聴衆に対して配布される場合、コンテンツサーバ３００にアップロードされている前記発表資料及び関連資料にアクセス制限をかける等の処理を施しても良い。
【００４８】
これにより、プレゼンテーション開始より前に前記発表資料及び関連資料に記載されている情報が聴衆に漏れることを防ぐ効果が期待できる。前記発表資料及び関連資料にアクセス制限をかける場合、前記発表資料及び関連資料を作成した発表者及び前記発表者の許可を得た関係者のみがアクセス可能なように、前記発表資料及び関連資料にパスワードをかける、若しくは、コンテンツサーバ３００において、前記発表資料及び関連資料へのアクセスに対してＩＰフィルタリング処理を施す、等の処理を行えば良い。また、前記発表資料及び関連資料を使用したプレゼンテーションの開始時刻、若しくは終了時刻において、自動的に前記アクセス制限を解除するようにしても良い。
【００４９】
プレゼンテーションに参加した聴衆は、前記発表資料のＵＲＬまたは関連資料のＵＲＬにより、コンテンツサーバ３００にアップロードされている前記発表資料または関連資料へアクセスすることが可能となる。但し、プレゼンテーション実施中は、プレゼンテーションに参加した聴衆により、前記発表資料または関連資料へアクセスが集中することが予想される。
【００５０】
特に、図２に示したように、複数のプレゼンテーション会場で同時にプレゼンテーションを行う場合、プレゼンテーション会場Ａ（２００ａ）の端末装置２３０ａ−１、２３０ａ−２、２３０ａ−３、２３０ａ−４等や、プレゼンテーション会場Ｂ（２００ｂ）及びプレゼンテーション会場Ｃ（２００ｃ）の端末装置群が、一斉に前記発表資料または関連資料にアクセスを行うと、前記発表資料及び関連資料のアップロードされたコンテンツサーバ３００が過負荷のために不具合を起こす可能性もある。
【００５１】
前記不具合を回避するために、本実施例のプレゼンテーション装置１００ａは、図９のフローチャートに示すようなＩＰパケットの中継処理を行うものである。以下に、プレゼンテーション装置１００ａが行うＩＰパケットの中継処理に関して詳細に説明する。
【００５２】
なお、本実施例でネットワーク上の通信に用いられるＩＰパケットは、図１０に示すような構成であるものとする。ＩＰパケットは、ＩＰヘッダとＩＰデータから成り、ＩＰヘッダは更に、バージョン、サービスタイプ、パケット長、生存時間、送信元ＩＰアドレス、送信先ＩＰアドレス、等の制御情報を有する。また、ＩＰデータにはコンテンツサーバ３００やその他のサーバ４００にアップロードされているデータへのアクセス命令等の制御命令を含むものとする。但し、説明を簡単にするために、本実施例においては、ＩＰヘッダにおける送信元ＩＰアドレスと送信先ＩＰアドレス、ＩＰデータに含まれる制御命令にのみ着目して図示及び説明を行う。その他の情報や、ＩＰパケットを包含するＭＡＣ（Ｍｅｄｉａ  Ａｃｃｅｓｓ  Ｃｏｎｔｒｏｌ）フレームに更に付与されるＭＡＣヘッダ等に関しては説明を省略する。
【００５３】
また、図１０（１）は、プレゼンテーション会場Ａ（２００ａ）の端末装置２３０ａ−２が、その他のサーバ４００にアップロードされているデータであるその他の資料（例：Ｉｒｏｉｒｏ．ｔｘｔ）にアクセスするために送出したＩＰパケットの例である。図１０（２）は、プレゼンテーション会場Ａ（２００ａ）の端末装置２３０ａ−１が、コンテンツサーバ３００にアップロードされているデータである発表資料（例：Ｈａｐｐｙｏ．ｐｓｔ）にアクセスするために送出したＩＰパケットの例である。
【００５４】
まず、図１１に示すような、プレゼンテーション会場Ａ（２００ａ）の端末装置２３０ａ−２がその他のサーバ４００にアップロードされているその他の資料（例：Ｉｒｏｉｒｏ．ｔｘｔ）にアクセスしようとする場合の処理に関して、図９のフローチャートを用いて説明する。
【００５５】
この場合、端末装置２３０ａ−２は、その他のサーバ４００にアップロードされている前記その他の資料にアクセスするために、図１０（１）に示したような記述を有するＩＰパケットをＬＡＮ２４０ａに送出する。なお、図１０（１）に示したＩＰパケットでは、ＩＰヘッダ部に含まれる送信元ＩＰアドレスには端末装置２３０ａ−２のＩＰアドレスである『１９２．１６８．０．１１』が、送信先ＩＰアドレスにはその他のサーバ４００のＩＰアドレスである『１０．１０．０．１』が指定される。プレゼンテーション装置１００ａの第二の通信処理部１２２ａは、ＬＡＮ２４０ａを介して、端末装置２３０ａ−２が送出した前記ＩＰパケットを受信する（Ｓ１０１）。
【００５６】
ここで、プレゼンテーション装置１００ａの接続制御部１２３ａは、Ｓ１０１で第二の通信処理部１２２ａが受信したＩＰパケットのＩＰヘッダ部に含まれる送信先ＩＰアドレスの情報（『１０．１０．０．１』）とＩＰデータ部に含まれる制御命令（『ＧＥＴ  ｈｔｔｐ：／／１０．１０．０．１／ｓｏｎｏｔａ／Ｉｒｏｉｒｏ．ｔｘｔ』）を参照することにより、端末装置２３０ａ−２がアクセスしようとしている前記その他の資料のＵＲＬを確認する（Ｓ１０２）。更に、接続制御部１２３ａは、Ｓ１０２で確認した、端末装置２３０ａ−２がアクセスしようとしている前記その他の資料のＵＲＬがＵＲＬ記憶領域１２４ａに登録されているか否かの確認を行う（Ｓ１０３）。
【００５７】
なお、ＵＲＬ記憶領域１２４ａに登録されているＵＲＬ等の情報は、図５に示したとおりであるものとする。すると、図１１に示した例の場合、端末装置２３０ａ−２がアクセスしようとしている前記その他の資料のＵＲＬは、プレゼンテーション実施中にアクセスの集中が予想されないため、ＵＲＬ記憶領域１２４ａには登録されていないことになる。この場合、接続制御部１２３ａは、Ｓ１０１で第二の通信処理部１２２ａが受信したＩＰパケットをそのまま中継処理し、第一の通信処理部１２１ａから（ルータ装置２２０ａを介して）ＷＡＮ５００に送出する（Ｓ１０４）。
【００５８】
その他のサーバ４００は、プレゼンテーション装置１００ａの第一の通信処理部１２１ａが送出した前記ＩＰパケットをルータ装置２２０ａ及びＷＡＮ５００を介して受信する。その後、ＩＰデータに含まれる端末装置２３０ａ−２からの前記その他の資料へのアクセス要求に応じて、前記その他の資料のデータ（を含むＩＰパケット）をＷＡＮ５００に送出する。
【００５９】
プレゼンテーション装置１００ａの第一の通信処理部１２１ａは、その他のサーバ４００が送出した前記その他の資料のデータ（を含むＩＰパケット）を、ＷＡＮ５００及びルータ装置２２０ａを介して受信し（Ｓ１０５）、更に、第二の通信処理部１２２ａから、Ｓ１０５で受信した前記その他の資料のデータ（を含むＩＰパケット）をＬＡＮ２４０ａに送出する（Ｓ１０７）。端末装置２３０ａ−２は、ＬＡＮ２４０ａを介して、プレゼンテーション装置１００ａの第二の通信処理部１２２ａが送出した前記その他の資料のデータ（を含むＩＰパケット）を受信することにより、所望する前記その他の資料を参照することが可能となる。
【００６０】
このように、プレゼンテーション会場Ａ（２００ａ）内の端末装置２３０ａ−２が、プレゼンテーション装置１００ａに登録されていないデータへのアクセスを行おうとした場合には、プレゼンテーション装置１００ａはルータ装置として動作する。即ち、端末装置２３０ａ−２が送信した、ＷＡＮ５００上のサーバにアップロードされているデータへのアクセス要求等を含むＩＰパケットの第二の通信処理部１２２ａから第一の通信処理部１２１ａへのルーティング処理、若しくはＷＡＮ５００上のサーバが送信したデータを含むＩＰパケットの第一の通信処理部１２１ａから第二の通信処理部１２２ａへのルーティング処理、等を行う。
【００６１】
次に、図１２に示すような、プレゼンテーション会場Ａ（２００ａ）の端末装置２３０ａ−１がコンテンツサーバ３００にアップロードされている発表資料（例：ｈａｐｐｙｏ．ｐｓｔ）にアクセスしようとする場合の処理に関して、図９のフローチャートを用いて説明する。
【００６２】
この場合、端末装置２３０ａ−１は、コンテンツサーバ３００にアップロードされている前記発表資料にアクセスするために、図１０（２）に示したような記述を有するＩＰパケットをＬＡＮ２４０ａに送出する。なお、図１０（２）に示したＩＰパケットでは、ＩＰヘッダ部に含まれる送信元ＩＰアドレスには端末装置２３０ａ−１のＩＰアドレスである『１９２．１６８．０．１０』が、送信先ＩＰアドレスにはコンテンツサーバ３００のＩＰアドレスである『１０．０．０．１』が指定される。プレゼンテーション装置１００ａの第二の通信処理部１２２ａは、ＬＡＮ２４０ａを介して、端末装置２３０ａ−１が送出した前記ＩＰパケットを受信する（Ｓ１０１）。
【００６３】
ここで、プレゼンテーション装置１００ａの接続制御部１２３ａは、Ｓ１０１で第二の通信処理部１２２ａが受信したＩＰパケットのＩＰヘッダ部に含まれる送信先ＩＰアドレスの情報（『１０．０．０．１』）とＩＰデータ部に含まれる制御命令（『ＧＥＴ  ｈｔｔｐ：／／１０．０．０．１／ｓｉｒｙｏｕ１／Ｈａｐｐｙｏ．ｐｓｔ』）を参照することにより、端末装置２３０ａ−１がアクセスしようとしている前記発表資料のＵＲＬを確認する（Ｓ１０２）。更に、接続制御部１２３ａは、Ｓ１０２で確認した、端末装置２３０ａ−１がアクセスしようとしている前記発表資料のＵＲＬがＵＲＬ記憶領域１２４ａに登録されているか否かの確認を行う（Ｓ１０３）。
【００６４】
なお、ＵＲＬ記憶領域１２４ａに登録されているＵＲＬ等の情報は、図５に示したとおりであるものとする。すると、図１２に示した例の場合、端末装置２３０ａ−１がアクセスしようとしている前記発表資料のＵＲＬは、プレゼンテーション実施中にアクセスの集中が予想されるため、ＵＲＬ記憶領域１２４ａに登録されていることになる。この場合、接続制御部１２３ａは、Ｓ１０１で第二の通信処理部１２２ａが受信したＩＰパケットの中継処理を行わない。即ち、図１１に示した例の場合と異なり、第一の通信処理部１２１ａは、Ｓ１０１で第二の通信処理部１２２ａが受信した前記ＩＰパケットを（ルータ装置２２０ａを介して）ＷＡＮ５００に送出する処理を行わない。
【００６５】
代わりに、ＵＲＬ記憶領域１２４ａの記憶内容に応じて、端末装置２３０ａ−１がアクセスしようとしている前記発表資料のデータをストレージ部１３０ａから読み出すようにする（Ｓ１０６）。更に、プレゼンテーション装置１００ａの第二の通信処理部１２２ａは、Ｓ１０６においてストレージ部１３０ａから読み出した前記発表資料のデータ（を含むＩＰパケット）をＬＡＮ２４０ａに送出する（Ｓ１０７）。端末装置２３０ａ−１は、ＬＡＮ２４０ａを介して、プレゼンテーション装置１００ａの第二の通信処理部１２２ａが送出した前記発表資料のデータ（を含むＩＰパケット）を受信することにより、所望する前記発表資料を参照することが可能となる。
【００６６】
このように、プレゼンテーション会場Ａ（２００ａ）内の端末装置２３０ａ−１がアクセスを行おうとしたデータがプレゼンテーション装置１００ａに登録されている場合には、プレゼンテーション装置１００ａはサーバ装置の代行として動作する。即ち、端末装置２３０ａ−１が送信した、ＷＡＮ５００上のコンテンツサーバ３００にアップロードされている前記発表資料へのアクセス要求等に対して、コンテンツサーバ３００に代行して前記発表資料のデータ配信処理を行う。なお、プレゼンテーション装置１００ａによる登録済みデータの配信代行処理は、プレゼンテーション装置１００ａが無線アクセスポイントとして動作し、プレゼンテーション会場Ａ（２００ａ）内の端末装置２３０ａに対してＬＡＮ２４０ａを提供している間、ＬＡＮ２４０ａに接続されている端末装置２３０ａに対して常に行われるものとする。
【００６７】
図２に示したように、複数のプレゼンテーション会場２００において、同一の資料を使用して同時にプレゼンテーションを行う場合、各プレゼンテーション会場２００のプレゼンテーション装置１００が前述の処理（コンテンツサーバ３００に代行してのデータ配信処理）を行う。このことにより、例えば全てのプレゼンテーション会場２００の全ての端末装置２３０が、一斉に、コンテンツサーバ３００にアップロードされている前記発表資料にアクセスしようとした場合であっても、コンテンツサーバ３００へのアクセスの集中を回避することができる。即ち、プレゼンテーション会場Ａ（２００ａ）の端末装置２３０ａに対してはプレゼンテーション装置１００ａがコンテンツサーバ３００に代行してのデータ配信処理を行い、プレゼンテーション会場Ｂ（２００ｂ）の端末装置２３０ｂに対してはプレゼンテーション装置１００ｂがコンテンツサーバ３００に代行してのデータ配信処理を行うためである。この結果、アクセスが集中することによる過負荷でコンテンツサーバ３００に不具合が発生することを回避可能となる。
【００６８】
また、複数のプレゼンテーション会場２００で、同一の資料を使用して同時にプレゼンテーションを行う場合ではなくとも、コンテンツサーバ３００が汎用のサーバである場合、コンテンツサーバ３００には前記発表資料以外の一般的なデータも格納されており、それら一般的なデータへのアクセスも常時行われていると考えられる。この場合、たとえプレゼンテーション会場２００が一箇所のみである場合でも、やはり前記発表資料へのアクセスの集中は避けるべきであり、したがって、本実施例のプレゼンテーション装置１００の機能は、コンテンツサーバ３００の過負荷による不具合を回避するための手段として有効である。
【００６９】
プレゼンテーション終了後の処理に関して説明する。
プレゼンテーションに参加した聴衆が自宅若しくは会社に戻った後、プレゼンテーションで使用された発表資料（例：Ｈａｐｐｙｏ．ｐｓｔ）または関連資料（例：Ｋａｎｒｅｎ．ｊｐｇ）を再度確認したい場合の処理に関して、図１３を用いて説明する。
【００７０】
プレゼンテーションに参加した聴衆が自宅若しくは会社６００ｈから前記発表資料または関連資料に再度アクセスする場合、聴衆は、まず、図１３に示したように、聴衆の所有するＰＣ等の端末装置２３０ａ−１を自宅若しくは会社６００ｈのＬＡＮ２４０ｈに接続させる。この後、プレゼンテーション会場Ａ（２００ａ）で示された前記発表資料のＵＲＬ（例：ｈｔｔｐ：／／１０．０．０．１／ｓｉｒｙｏｕ１／Ｈａｐｐｙｏ．ｐｓｔ）または関連資料のＵＲＬ（例：ｈｔｔｐ：／／１０．０．０．１／ｓｉｒｙｏｕ２／Ｋａｎｒｅｎ．ｊｐｇ）を端末装置２３０ａ−１のブラウザアプリケーションに入力することにより、端末装置２３０ａ−１は前記発表資料または関連資料にアクセスすることが可能となる。なお、前述の処理においては、端末装置２３０ａ−１から送信された前記発表資料または関連資料へのアクセス要求の制御命令を含むＩＰパケットは、ＬＡＮ２４０ｈ、ルータ装置２２０ｈ及びＷＡＮ５００を介して、コンテンツサーバ３００に送信される。
【００７１】
本実施例のプレゼンテーション会場Ａ（２００ａ）において、プレゼンテーション実施中に端末装置２３０ａ−１が送信した、コンテンツサーバ３００にアップロードされている前記発表資料または関連資料へのアクセス要求に対しては、前述の説明のように本実施例のプレゼンテーション装置１００ａの有する機能により、プレゼンテーション装置１００ａが前記発表資料または関連資料のデータを配信する。一方、プレゼンテーション終了後に自宅若しくは会社６００ｈにおいて、端末装置２３０ａ−１が送信した、コンテンツサーバ３００にアップロードされている前記発表資料または関連資料へのアクセス要求に対しては、コンテンツサーバ３００が前記発表資料または関連資料のデータを配信する。
【００７２】
しかしながら、端末装置２３０ａ−１が送信する、コンテンツサーバ３００にアップロードされている前記発表資料または関連資料へのアクセス要求の制御命令を含むＩＰパケットの記述は、前記何れの場合も、図１０（２）に示したような、同一の記述形式となる。即ち、端末装置２３０ａ−１を操作する聴衆は、プレゼンテーション会場Ａ（２００ａ）と自宅若しくは会社６００ｈの何れからコンテンツサーバ３００にアクセスするのかを意識する必要が無く、常に同一のＵＲＬを使用して前記発表資料または関連資料へのアクセスを行うことができる。
【００７３】
以上の処理により、本実施例のプレゼンテーション装置においては、プレゼンテーション資料のアップロードされたコンテンツサーバに代替して登録済みの資料を配信することが可能であり、このため、プレゼンテーション資料がアップロードされたコンテンツサーバへアクセスが集中することによるコンテンツサーバの過負荷を回避することが可能となる。また、プレゼンテーション会場で聴衆に対して提示したＵＲＬは、プレゼンテーション会場の内外において有効とすることができ、前記プレゼンテーション資料へのアクセスを行おうとする聴衆は、自らがプレゼンテーション会場内にいるのか或いはプレゼンテーション会場外にいるのかを意識することなく、常に同一のＵＲＬを使用して前記プレゼンテーション資料へアクセスすることができる。また、プレゼンテーション装置に予め登録されていないデータへのアクセス要求に対しては、一般的なルータ装置と同様の中継処理により、これを可能とすることができる。したがって、本実施例のプレゼンテーション装置を用いることにより、会議、発表会、授業等のプレゼンテーションに用いるのに好適なプレゼンテーション装置の提供が可能となる。
【００７４】
以上、本発明の実施形態の例を説明したが、言うまでもなく、本発明の技術を実現する構成は前記実施例に限られるものではない。文中や図中に現れるメッセージ、ＩＰアドレス、ＵＲＬ等の文章、数値はあくまでも一例であり、異なるものを用いても本発明の効果を損なうことはない。
【００７５】
また、前述した本発明の機能等は、それらの一部または全部を、例えば集積回路で設計する等によりハードウエアで実現しても良い。また、マイクロプロセッサ等がそれぞれの機能等を実現するプログラムを解釈し、実行することによりソフトウエアで実現しても良い。なお、前記プログラムは、予めプレゼンテーション装置１００のＲＯＭ１０３若しくはストレージ部１３０内に格納された状態であっても良いが、ＷＡＮ５００上のアプリケーションサーバから第一の通信処理部１２１或いは第二の通信処理部１２２を介して取得するものであっても良い。また、メモリカードに格納された前記プログラムを、外部インタフェース１４１を介して取得しても良い。
【００７６】
また、図中に示した制御線や情報線は説明上必要と考えられるものを示しており、製品上必ずしも全ての制御線や情報線を示しているとは限らない。実際には殆ど全ての構成が相互に接続されていると考えても良い。
【符号の説明】
【００７７】
１００：プレゼンテーション装置、１０１：制御部、１０２：システムバス、１０３：ＲＯＭ、１０４：ＲＡＭ、１１１：表示（投影）部、１１２：表示処理部、１１３：スピーカ、１１４：音声処理部、１２１：第一の通信処理部、１２２：第二の通信処理部、１２３：接続制御部、１２４：ＵＲＬ記憶領域、１３０：ストレージ部、１４１：外部インタフェース、１４２：赤外線受信部、１５０：操作部、
２００：プレゼンテーション会場、２１０：スクリーン、２１１〜２１２：表示画面、２２０：ルータ装置、２３０：端末装置、２４０：ＬＡＮ、３００：コンテンツサーバ、４００：その他のサーバ、５００：ＷＡＮ、６００：自宅または会社
【図１】
0005788363.tif 000002
【図２】
0005788363.tif 000003
【図３】
0005788363.tif 000004
【図４】
0005788363.tif 000005
【図５】
0005788363.tif 000006
【図６】
0005788363.tif 000007
【図７】
0005788363.tif 000008
【図８】
0005788363.tif 000009
【図９】
0005788363.tif 000010
【図１０】
0005788363.tif 000011
【図１１】
0005788363.tif 000012
【図１２】
0005788363.tif 000013
【図１３】
0005788363.tif 000014